(57)【特許請求の範囲】
【請求項１】
複数個の平面視長方形の建物ユニットが長辺同士を対向させて据え付けられた本体側建物ユニットと、この本体側建物ユニットの長辺に対して長辺を略直角方向に向けて据え付けられた添付建物ユニットとからなるユニット建物であって、前記本体建物ユニットには、短辺を略同一線上にして順に並べられた第一建物ユニット、第二建物ユニット及び第三建物ユニットが存在し、前記添付建物ユニットは、第一建物ユニットと第二建物ユニットの略同一線上になされた短辺に長辺を対向させて据え付けられ、この添付建物ユニットには、昇降方向がこの添付建物ユニットの長辺に対して略平行で、前記第三建物ユニットの近傍に昇降口を有する直階段が設けられ、前記第三建物ユニット内には、その前記第一建物ユニット及び前記第二建物ユニットのそれぞれの前記短辺と略同一直線上になされた短辺又は該短辺の近傍の長辺に形成された開口で前記第三建物ユニットの外方へ開放する玄関が設けられていることを特徴とするユニット建物。
【請求項２】
複数個の平面視長方形の建物ユニットが長辺同士を対向させて据え付けられた本体側建物ユニットと、この本体側建物ユニットの長辺に対して長辺を略直角方向に向けて据え付けられた添付建物ユニットとからなるユニット建物であって、前記本体建物ユニットには、短辺を略同一線上にして並べられた第一建物ユニット及び第二建物ユニットが存在し、前記添付建物ユニットは、添付第一建物ユニットと添付第二建物ユニットとからなり、第一建物ユニットと第二建物ユニットの略同一線上になされた短辺に、添付第一建物ユニットが一方の長辺を対向させて据え付けられ、この添付第一建物ユニットの他方の長辺に添付第二建物ユニットが一方の長辺を対向させて据え付けられ、この添付第二建物ユニットの他方の長辺には、前記第一建物ユニット及び前記第二建物ユニットの短辺方向に開放する車の出入口が設けられ、この添付第一建物ユニットと添付第二建物ユニットの内部が連続した車庫空間になされていることを特徴とするユニット建物。
【請求項３】
平面視長方形の本体側建物ユニットと、この本体側建物ユニットの長辺に対して長辺を略直角方向に向けて据え付けられた添付建物ユニットとからなるユニット建物であって、前記本体側建物ユニットと前記添付建物ユニットとで囲まれた広場に面した前記本体側建物ユニットの長辺とこの長辺に略直角な添付建物ユニットの前記広場に面した長辺には、それぞれ外壁が設けられて、この本体側建物ユニットの前記外壁と添付建物ユニットの前記外壁とで入隅が形成され、この入隅を形成する本体側建物ユニットの前記外壁と添付建物ユニットの前記外壁には、それぞれ、前記広場に開放し且つ短辺より幅の大きな開口が設けられていることを特徴とするユニット建物。
【請求項４】
前記本体側建物ユニットと添付建物ユニットが上階に設けられ、前記入隅を形成する本体側建物ユニットの外壁の前方と添付建物ユニットの外壁の前方には、それぞれバルコニーが設けられ、前記開口からバルコニーに出入可能になされていること
を特徴とする請求項３に記載のユニット建物。

【発明の詳細な説明】
【０００１】
【発明の属する技術分野】
本発明は、顧客の種々な要望を満足させることのできる施工し易いユニット建物に関する。
【０００２】
【従来の技術】
ユニット建物は、運搬可能な一定の大きさの箱形の、且つ、内部、外部の仕上げられた建物ユニットと屋根ユニットや屋根パネルを、予め、工場で製造し、この建物ユニットと屋根ユニットや屋根パネルの複数個を施工現場に運搬し、施工現場で据え付けて建物になすものであって、現場施工期間が短く、且つ、寸法精度の良い標準化された建物に仕上がる特徴があることから、近年、広く採用されている。
【０００３】
このユニット建物に使用される建物ユニットとしては種々な構造のものが知られている。
例えば、特公昭６１−４２０６１号公報には、長方形の四隅に立設した４本の柱と、この４本の柱の上端部を長方形の辺に沿って連結した４本の天井梁と、この４本の柱の下端部を長方形の辺に沿って連結した４本の床梁とからなる建物ユニットの骨格が記載されている。そして、この骨格の相対する天井梁に天井野縁を差し渡し、この天井野縁の下面に天井面材を取り付けて天井を形成し、相対する床梁に床小梁を差し渡し、この床小梁の上に床根太を取り付け、この床根太の上に床面材を取り付けて床を形成し、外壁を設ける場所には、天井梁と床梁との間に間柱を立設し、この間柱に外壁パネルや内壁パネルを取り付けて壁を形成して、平面視長方形の建物ユニットとするものである。
【０００４】
この建物ユニットの内部に、予め、階段や、押入れ等の取付家具や、バスタブ、便器、洗面台等のサニタリー用設備や調理台等の厨房設備等の設備を工場で取り付けていると、施工現場での作業がそれだけ少なくなり、施工期間が短いというユニット建物の特徴が生かされるので、工場で上記階段やサニタリー用設備等を建物ユニットの内部に取り付けることが多い。
【０００５】
又、この平面視長方形の建物ユニットは、工場で製造しトラックで施工現場に運搬するために、通常、短辺の長さをトラックの幅より若干短い（２．４ｍ〜２．５ｍ）かその半分にし、長辺の長さを、建物のモジュールに準じた長さ（０．９ｍ）の整数倍、例えば、略５．４ｍ、略４．５ｍ、略３．６ｍというような寸法としている。
そして、この建物ユニットを、通常、長辺同士や短辺同士を対向させて据え付けて、ユニット建物とすることが多い。
【０００６】
【発明が解決しようとする課題】
しかし、このような建物ユニットを長辺同士や短辺同士を対向させて据え付けたユニット建物では、予め、工場で階段等を建物ユニットの内部に取り付けていると、ユニット建物を施工し難かったり、全ての顧客の要望を十分に満足させることができない場合がある。
例えば、工場で階段を複数個の建物ユニットに跨がる位置に取り付ける場合には、施工現場で建物ユニットを据え付けた後に階段を接続する必要があり施工し難い。従って、工場で階段を取り付けた建物ユニットを製造する場合には、できるだけ１個の建物ユニットの内部に階段を取り付ける方が便利である。
【０００７】
そして、１個の建物ユニットの内部に直階段を取り付ける場合に、昇降方向が長辺に対して略平行な階段では、長辺が長いので問題ないが、昇降方向が短辺に対して略平行な階段では、短辺の長さが短いので直階段にすることができず、Ｕ字形の階段にしたりＬ字形の階段にする必要がある。
従って、間取りの関係で、昇降方向が建物ユニットの短辺と略平行な直階段を設けたいという顧客の要望がある場合には、１つの建物ユニットに長辺に略並行な直階段を設けようとすると顧客の要望を満足させることができないし、２つの建物ユニットに短辺に略並行な直階段の一部分を取り付けて、施工現場で接続すると、施工し難い。
【０００８】
又、建物の中にバスタブや洗面台等のサニタリー用設備を設ける場合に、第一の建物ユニットの内部にバスタブを設け、別の第二の建物ユニットの内部に洗面台を設けるというように、分離して設けていてもよいが、同じ建物ユニットの内部に両者を一括して並べて設ける方が水周りの施工し易く便利である。
そして、間取りの関係で、顧客が建物ユニットの短辺方向にバスタブや洗面台等のサニタリー用設備を並べて設けたいという要望がある場合には、短辺方向の長さが短いので、１個の建物ユニットの中にサニタリー用設備を並べて設けることができず、サニタリー用設備を分散させる必要があり、施工し難いし、施工し易いように、長辺方向に並べてサニタリー用設備を設けると、顧客の要望を満足させることができない。
【０００９】
又、車庫をユニット建物の内部に設けることもあるが、この際、建物の向きによっては、車庫の中に短辺方向から車を出入させると便利なことがあるが、短辺の長さがトラックの幅より若干短いかその半分になされているために狭く、短辺に車を出入させる出入口を設け難く、長辺方向に出入口を設けると、かかる顧客の要望を満足させることができない。
【００１０】
又、建物ユニットの壁に窓等の開口を設け、この開口の前に庭を設け、この庭を開口を通して内部から鑑賞したいことがあるが、かかる場合に、この開口は広い方が十分鑑賞できるので好ましい。
この広い開口を設ける場合、通常の建物では、幅が略２．７ｍか略３．６ｍの窓等の開口を設けることが多いが、ユニット建物では、このユニット建物を構成する建物ユニットをトラックで運搬する関係で、建物ユニットの短辺の長さが２．４ｍ〜２．５ｍ以下となっていて、この短辺に広い開口を設けることができない。
【００１１】
そして、庭を囲むようにＬ字形に建物ユニットを据え付け、このＬ字形で囲まれた広場に庭等を設け、この庭をＬ字形を形成している両方の部屋から鑑賞したいという顧客の要望がある場合には、ユニット建物では、長辺同士や短辺同士を対向させて据え付けると、Ｌ字形の一方が長辺で、他方が短辺となるので、両方の壁に広い開口を設けることができず、かかる顧客の要望を満足させることができない。
そこで、本発明の目的は、上記のような種々な顧客の要望を満足させることのできる施工し易いユニット建物を提供することである。
【００１２】
【課題を解決するための手段】
本発明は上記目的を達成するためになしたものであって、請求項１記載の発明は、複数個の平面視長方形の建物ユニットが長辺同士を対向させて据え付けられた本体側建物ユニットと、この本体側建物ユニットの長辺に対して長辺を略直角方向に向けて据え付けられた添付建物ユニットとからなるユニット建物であって、前記本体建物ユニットには、短辺を略同一線上にして順に並べられた第一建物ユニット、第二建物ユニット及び第三建物ユニットが存在し、前記添付建物ユニットは、第一建物ユニットと第二建物ユニットの略同一線上になされた短辺に長辺を対向させて据え付けられ、この添付建物ユニットには、昇降方向がこの添付建物ユニットの長辺に対して略平行で、前記第三建物ユニットの近傍に昇降口を有する直階段が設けられ、前記第三建物ユニット内には、その前記第一建物ユニット及び前記第二建物ユニットのそれぞれの前記短辺と略同一直線上になされた短辺又は該短辺の近傍の長辺に形成された開口で前記第三建物ユニットの外方へ開放する玄関が設けられているものである。
【００１３】
請求項２記載の発明は、複数個の平面視長方形の建物ユニットが長辺同士を対向させて据え付けられた本体側建物ユニットと、この本体側建物ユニットの長辺に対して長辺を略直角方向に向けて据え付けられた添付建物ユニットとからなるユニット建物であって、前記本体建物ユニットには、短辺を略同一線上にして並べられた第一建物ユニット及び第二建物ユニットが存在し、前記添付建物ユニットは、添付第一建物ユニットと添付第二建物ユニットとからなり、第一建物ユニットと第二建物ユニットの略同一線上になされた短辺に、添付第一建物ユニットが一方の長辺を対向させて据え付けられ、この添付第一建物ユニットの他方の長辺に添付第二建物ユニットが一方の長辺を対向させて据え付けられ、この添付第二建物ユニットの他方の長辺には、前記第一建物ユニット及び前記第二建物ユニットの短辺方向に開放する車の出入口が設けられ、この添付第一建物ユニットと添付第二建物ユニットの内部が連続した車庫空間になされているものである。
【００１４】
請求項３記載の発明は、平面視長方形の本体側建物ユニットと、この本体側建物ユニッ
トの長辺に対して長辺を略直角方向に向けて据え付けられた添付建物ユニットとからなるユニット建物であって、前記本体側建物ユニットと前記添付建物ユニットとで囲まれた広場に面した前記本体側建物ユニットの長辺とこの長辺に略直角な添付建物ユニットの前記広場に面した長辺には、それぞれ外壁が設けられて、この本体側建物ユニットの前記外壁と添付建物ユニットの前記外壁とで入隅が形成され、この入隅を形成する本体側建物ユニットの前記外壁と添付建物ユニットの前記外壁には、それぞれ、前記広場に開放し且つ短辺より幅の大きな開口が設けられているものである。
【００１５】
請求項４記載の発明は、請求項３に記載の発明において、前記本体側建物ユニットと添付建物ユニットが上階に設けられ、前記入隅を形成する本体側建物ユニットの外壁の前方と添付建物ユニットの外壁の前方には、それぞれバルコニーが設けられ、前記開口からバルコニーに出入可能になされているものである。
【００１８】
ユニット建物では、多くの場合、平面視長方形の建物ユニットを長辺同士や短辺同士を対向させて据え付けている。かかる場合には、建物ユニットの長辺は全て略平行になっている。
本発明では、この長辺同士や短辺同士を対向させて据え付けている建物ユニットを本体側建物ユニットと称する。従って、この本体側建物ユニットの長辺は略平行になっている。
更に、本発明では、この本体側建物ユニットの他に、この略平行になっている本体側建物ユニットの長辺に対して長辺を略直角な方向に向けて据え付けられた添付建物ユニットが存在する。
【００１９】
この添付建物ユニットは、請求項１及び２記載の発明では、本体側建物ユニットの２つの建物ユニット（第一建物ユニットと第二建物ユニット）の短辺に長辺を対向させて据え付けられている。従って、添付建物ユニットの長辺の長さは、第一建物ユニットの短辺と第二建物ユニットの短辺の合計がそれ以上になっている。
【００２０】
又、請求項３では、上記のような要件が特に規定されてないが、添付建物ユニットの長
辺を本体側建物ユニットの２つの建物ユニット（第一建物ユニットと第二建物ユニット）の短辺に対向させて、添付建物ユニットを据え付けることがある。かかる際には、請求項１及び２記載の発明と同様に、添付建物ユニットの長辺の長さを第一建物ユニットの短辺と第二建物ユニットの短辺の長さの合計かそれ以上にすることが好ましい。
【００２１】
請求項４記載の発明では、本体側建物ユニットと添付建物ユニットが上階に設けられているが、この意味は、下階の建物ユニットの配置は適宜でよいことである。しかし、通常のユニット建物では、下階の建物ユニットの上に上階の建物ユニットが据え付けられているので、この下階も上階と同じように、本体側建物ユニットと添付建物ユニットとを、この本体側建物ユニットの長辺に対して添付建物ユニットの長辺を略直角方向に向けて据え付け、この下階の本体側建物ユニットの上に上階の本体側建物ユニットを、又、下階の添付建物ユニットの上に上階の添付建物ユニットを据え付けるようにすることが好ましい。
【００２２】
（作用）
請求項１記載の発明では、本体側建物ユニットには、短辺を略同一線上にして並べられた第一建物ユニット及び第二建物ユニットが存在し、添付建物ユニットは、第一建物ユニットと第二建物ユニットの略同一線状になされた短辺に長辺を対向させて据え付けられ、この添付建物ユニットには、昇降方向がこの添付建物ユニットの長辺に対して略平行な直階段が設けられているので、工場で、昇降方向が長辺に対して略平行な直階段を設けた添付建物ユニットを製造し、本体側建物ユニットの第一建物ユニットと第二建物ユニットの略同一線上になっている短辺に、長辺を対向させて、上記直階段を設けた添付建物ユニットを据え付けると、この直階段は昇降方向が本体側建物ユニットの短辺に略平行になる。
【００２３】
このように、この直階段が設けられた添付建物ユニットを上記のように据え付けると、従来のように、２個の本体側建物ユニットの中に昇降方向が短辺に対して略平行な部分的な直階段を設け、施工現場で、この部分的な直階段を繋ぐという作業をしなくとも、昇降方向が本体側建物ユニットの短辺に対して略平行な直階段を設けたユニット建物となり、ユニット建物を施工し易いし、かかる要望のある顧客を満足させることができる。
尚、この添付建物ユニットの長辺は、第一建物ユニットの短辺と第二建物ユニットの短辺の合計又は合計以上になっているというように、本体側建物ユニットの短辺より長いので、工場で、この添付建物ユニットに使用する建物ユニットの内部に、昇降方向が長辺に対して略平行な直階段を設けることができる。
【００２５】
更に、この請求項１記載の発明では、第三建物ユニットには、略同一線上になされた短辺又は短辺近傍の長辺に玄関が設けられ、添付建物ユニットには、第三建物ユニット近傍に昇降口を有する階段が設けられているので、直階段の昇降口は玄関の直ぐ隣にあり、玄関から２階に行ったり、２階から玄関に下りる場合に、歩く距離が短くなり便利である。しかも、この直階段が玄関から見難い位置になるので、玄関に入った人が直階段に気づかず、悪い印象を与えない。
【００２８】
請求項２記載の発明では、本体側建物ユニットには、短辺を略同一線上にして並べられた第一建物ユニット及び第二建物ユニットが存在し、前記添付建物ユニットは、添付第一建物ユニットと添付第二建物ユニットとからなり、第一建物ユニットと第二建物ユニットの略同一線上になされた短辺に、添付第一建物ユニットが一方の長辺を対向させて据え付けられ、この添付第一建物ユニットの他方の長辺に添付第二建物ユニットが一方の長辺を対向させて据え付けられ、この添付第二建物ユニットの他方の長辺に車の出入口が設けられ、この添付第一建物ユニットと添付第二建物ユニットの内部が連続した車庫空間になされているので、この請求項２記載の発明は、建物ユニットの短辺より長い添付第二建物ユニットの長辺に大きな車の出入口を設け、添付第一建物ユニットと添付第二建物ユニットの内部を車庫空間としたユニット建物である。
【００２９】
このユニット建物では、車の出入口は、建物ユニットの短辺より長い添付第二建物ユニットの長辺に設けられているので幅を大きくすることができ、車を出入させ易いし、添付第一建物ユニットと添付第二建物ユニットの内部に設けられた連続した車庫空間は、車を駐車するのに十分な広さがある。
このようにすると、この車の出入口は、本体側建物ユニット（第一建物ユニットや第二建物ユニット）の短辺方向に開口している。従って、間取りの関係で、この本体側建物ユニットの短辺方向から車を出入させることを要望する顧客を満足させることができる。
【００３０】
請求項３記載の発明では、本体側建物ユニットの長辺とこの長辺に略直角な添付建物ユニットの長辺には、それぞれ外壁が設けられて、この本体側建物ユニットの外壁と添付建物ユニットの外壁とで入隅が形成され、この入隅を形成する本体側建物ユニットの外壁と添付建物ユニットの外壁には、それぞれ、短辺より幅の大きな開口が設けられているので、入隅を形成している本体側建物ユニットと添付建物ユニットとに囲まれた広場に庭等を設けると、この庭等を、本体側建物の内部から本体側建物ユニットの長辺に設けられている開口を通して見ることができるし、添付建物ユニットの内部から添付建物ユニットの長辺に設けられている開口を通して見ることができる。
しかも、この開口は建物ユニットの短辺より幅が大きいので、本体側建物ユニットや添付建物ユニットの内部からこの大きな開口を通して庭等を十分に鑑賞することができ、かかることを要望する顧客を満足させることができる。
【００３１】
請求項４記載の発明では、請求項３記載の発明に係り、前記本体側建物ユニットと添付建物ユニットが上階に設けられ、前記入隅を形成する本体側建物ユニットの外壁の前方と添付建物ユニットの外壁の前方には、それぞれバルコニーが設けられ、前記開口からバルコニーに出入可能になされているので、この庭等を、本体側建物ユニットや添付建物ユニットの内部から大きな開口を通して十分に鑑賞することができるし、更に、上階の本体側建物ユニットや添付建物ユニットの開口からバルコニーに出て、このバルコニーから庭等を鑑賞することもできる。従って、かかることを要望する顧客を満足させることができる。
【００３２】
【発明の実施の形態】
次に、本発明の実施の形態を実施例で説明する。
（実施例１）
図１〜図５は本発明の一実施例を示すもので、図１はユニット建物の斜視図、図２は図１に示すユニット建物における建物ユニットの配置を示す平面図、図３は図１に示すユニット建物の１階の間取りを示す平面図、図４は図１に示すユニット建物の２階の間取りを示す平面図、図５は建物ユニットの骨格を示す斜視図である。
【００３３】
図１〜図５において、１はユニット建物であり、このユニット建物１は、図１と図２に示すように、基礎９の上に、４個の幅が略２．５ｍ、長さが略５．４ｍの建物ユニット２−１が長辺を対向させて据え付けられ、１個の幅が略１．２５ｍ、長さが略５ｍの建物ユニット２−６が、長辺を上記建物ユニット２−１の短辺に対向させて据え付けられて１階が形成され、１階の建物ユニット２−１の上に４個の幅が２．５ｍ、長さが略４．５ｍの建物ユニット２−２が、又、建物ユニット２−６の上に１個の建物ユニット２−６がそれぞれ据え付けられて２階が形成され、この２階の建物ユニット２−２、２−６の上に屋根パネル３が取り付けられ、２階の建物ユニット２−２が据え付けられてない１階の建物ユニット２−１の上にバルコニーユニット４が取り付けられたものである。
【００３４】
この建物ユニット２−１、２−２、２−６は寸法が異なるだけであって、構造は略同じである。従って、この建物ユニット２−１、２−２、２−６を総称するときには、単に、建物ユニット２とする。
この長辺を対向させて据え付けられた建物ユニット２−１、２−２は全て長辺が略平行になっていて、この建物ユニット２−１、２−２が本体側建物ユニットＭである。又、この本体側建物ユニットＭの短辺に長辺を対向させて据え付けられた建物ユニット２−６の長辺は、本体側建物ユニットの長辺に対して略直角方向に向いている。従って、この建物ユニット２−６は添付建物ユニットＳである。
【００３５】
又、この１階の添付建物ユニットＳの長辺に短辺が対向している２個の建物ユニット２−１、２−１をその他の建物ユニット２−１と区別するときには、それぞれ第一建物ユニット２−１−１、第二建物ユニット２−１−２と称する。
建物ユニット２の骨格は、図５に示すように、長方形の４隅に立設された４本の鋼製の四角筒状体の柱２１と、この４本の柱２１の下端部が長方形の辺に沿って連結された４本の鋼製の断面コ字形長尺体の床梁２２と、４本の柱の上端部が長方形の辺に沿って連結された４本の鋼製の断面コ字形長尺体の天井梁２３とからなる。
【００３６】
そして、建物ユニット２は、この相対する長辺の床梁２２、２２に鋼製の四角筒状体の床小梁２４が差し渡され、この床小梁２４の上に木製の床根太２５が取り付けられ、この床根太２５の上にパーチクルボードの床面材２６が取り付けられて床が形成され、相対する長辺の天井梁２３、２３に木製の天井野縁２７が差し渡され、この天井野縁２７の下面に石膏ボードの天井面材２８が取り付けられて天井が形成されたものである。尚、外壁を設ける場所には、床梁２２と天井梁２３との間に間柱２９が差し渡され、この間柱２９に外壁パネルや内壁パネル等が取り付けられて壁が形成されている。
【００３７】
この建物ユニット２には、工場で、予め必要な階段、間仕切り壁パネル、サニタリー用設備や厨房設備等の設備、取付家具等（例えば、１階の添付建物ユニットＳには直階段５）が取り付けられていて、  この建物ユニット２を上記のように据え付けると、玄関、リビング兼ダイニング、キッチン、洋室、和室、廊下等が設けられたユニット建物１となる。
【００３８】
即ち、この建物ユニット１の１階には、図３に示すように、直階段５、玄関６−１、廊下６−２、リビング兼ダイニング６−３、厨房設備等が取り付けられたキッチン６−４、勝手口６−５、便所６−６、洗面台７−２やバスタブ７−３等のサニタリー用設備７が取り付けられたサニタリー部屋７−９が設けられている。又、２階には、図４に示すように、廊下６−２、便所６−６、寝室６−７、２個の子供部屋６−８、バルコニーユニット４が設けられている。
屋根パネル３とバルコニーユニット４の構造は従来と略同じであるので、詳細な説明を省略する。
【００３９】
次に、このユニット建物１の施工方法及び作用について説明する。
工場で、図５に示すように、長方形の４隅に柱２１を立設し、この４本の柱２１の下端部を長方形の辺に沿った床梁２２で連結し、４本の柱の上端部を長方形の辺に沿った天井梁２３で連結して建物ユニット２の骨格を製造する。
【００４０】
そして、この骨格の相対する長辺の床梁２２、２２に床小梁２４を差し渡し、この床小梁２４の上に床根太２５を取り付け、この床根太２５の上に床面材２６を取り付けて床を形成し、相対する長辺の天井梁２３、２３に天井野縁２７を差し渡し、この天井野縁２７の下面に天井面材２８を取り付けて天井を形成し、外壁を設ける場所には、床梁２２と天井梁２３との間に間柱２９を差し渡し、この間柱２９に外壁パネルや内壁パネルを取り付けて外壁を形成する。そして、必要な階段、間仕切り壁、サニタリー用設備や厨房設備等の設備、取付家具等を取り付けたり、その他種々な仕上げを行うと、建物ユニット２が完成する。
尚、建物ユニット２−６には、直階段５を設ける。
【００４１】
又、屋根パネル３やバルコニーユニット４を製造する。
このようにして製造した建物ユニット２、屋根パネル３、バルコニーユニット４等を施工現場に運搬する。
【００４２】
施工現場では、図１と図２に示すように、予め、設けられている基礎９の上に、長辺を対向させ、短辺を略一直線上にして４個の建物ユニット２−１を据え付けて、本体側建物ユニットＭを設け、この本体側建物ユニットＭの中の第一建物ユニット２−１−１と第二建物ユニット２−１−２の略一直線上になされた短辺に、長辺を対向させて１個の建物ユニット２−６を据え付けて、添付建物ユニットＳを設けて１階を形成し、この建物ユニット２−１の上に４個の建物ユニット２−２と、建物ユニット２−６の上に建物ユニット２−６を据え付けて２階を形成し、この建物ユニット２−２、２−６の上に屋根パネル３を取り付けたり、２階の建物ユニット２−２を据え付けてない１階の建物ユニット２−１の上にバルコニーユニット４を取り付け、建物ユニット２を連結したり、その他種々な仕上げを行うとユニット建物１が完成する。
【００４３】
このようにして完成したユニット建物１では、建物ユニット２−６は、第一建物ユニット２−１−１の短辺と第二建物ユニット２−１−２の短辺の合計と略等しい長さの長辺を有する。従って、この建物ユニット２−６に、工場で、昇降方向が長辺に対して略平行な直階段５を設けることがきる。
そして、この直階段５を設けた建物ユニット２−６を上記のように据え付けると、直階段４の昇降方向は本体側建物ユニットＭの短辺に略平行な方向になる。従って、昇降方向が本体側建物ユニットＭの短辺に対して略平行な直階段を設ける場合に、従来のように、施工現場で直階段５を繋ぐ必要がなくなり施工し易いし、かかることを要望する顧客を満足させることができる。
【００４４】
（実施例２）
図６〜図９は本発明の他の実施例を示すもので、図６はユニット建物の斜視図、図７は図６に示すユニット建物における建物ユニットの配置を示す平面図、図８は図６に示すユニット建物の１階の間取りを示す平面図、図９は図６に示すユニット建物の２階の間取りを示す平面図である。
【００４５】
図６〜図９において、１ａはユニット建物であり、このユニット建物１ａは、図６と図７に示すように、基礎９ａの上に、４個の幅が略２．５ｍ、長さが略５．４ｍの建物ユニット２ａ−１が長辺を対向させて据え付けられ、１個の幅が略１．２５ｍ、長さが略５ｍの建物ユニット２ａ−６が上記建物ユニット２ａ−１の長辺に短辺を対向させて据え付けられて１階が形成され、この１階の４個の建物ユニット２ａ−１の上に３個の建物ユニット２ａ−１と、１個の幅が１．２５ｍ、長さが略５．４ｍの建物ユニット２ａ−３と、バルコニーユニット４ａが据え付けられ、建物ユニット２ａ−６の上に建物ユニット２ａ−６が据え付けられて２階が形成され、この建物ユニット２ａ−１、２ａ−３、２ａ−６の上に屋根パネル３ａが取り付けられたものである。
【００４６】
この建物ユニット２ａ−１、２ａ−３、２ａ−６は寸法が異なるだけであって、構造は実施例１に示した建物ユニットと略同じであるので説明を省略する。
そして、１階の４個並んでいる建物ユニット２ａ−１や２階の建物ユニット２ａ−１、２ａ−３を本体側建物ユニットＭａと称すること、建物ユニット２ａ−１の長辺に短辺を対向させて据え付けられた建物ユニット２ａ−６を添付建物ユニットＳａと称すること、１階の添付建物ユニットＳａには直階段５ａが取り付けられていること、短辺が添付建物ユニットＳａの長辺に対向させて据え付けられた２個の建物ユニット２ａ−１、２ａ−１を第一建物ユニット２ａ−１−１、第二建物ユニット２ａ−１−２と称することは実施例１と略同じである。
【００４７】
そして、この実施例２では、この本体側建物ユニットＭａの４個の建物ユニット２ａ−１の一番端の建物ユニット２ａ−１を第三建物ユニット２ａ−１−３と称する。そして、この第三建物ユニット２ａ−１−３の短辺には、玄関６ａ−１が設けられているし、添付建物ユニットＳａに設けられている直階段５ａの昇降口が第三建物ユニット２ａ−３近傍に設けられていることが異なる。
【００４８】
この建物ユニット２ａには、工場で、予め必要な階段、間仕切り壁、サニタリー用設備や厨房設備等の設備、取付家具等が取り付けられている。
そして、この建物ユニット２ａを上記のように据え付けると、図８と図９に示すような間取りが形成されたユニット建物１ａになる。
即ち、ユニット建物１ａの１階には、図８に示すように、直階段５ａ、玄関６ａ−１、廊下６ａ−２、リビング兼ダイニンク６ａ−３、キッチン６ａ−４、勝手口６ａ−５、便所６ａ−６、洗面台７ａ−２や浴室設備７ａ−３等のサニタリー用設備７ａが設けられ、２階には、図９に示すように、廊下６ａ−２、便所６ａ−６、寝室６ａ−７、２個の子供部屋６ａ−８、バルコニーユニット４ａが設けられている。
【００４９】
屋根パネル３ａとバルコニーユニット４ａの構造は従来と略同じであるので、詳細な説明を省略する。
その他の構造は実施例１と略同じであるので説明を省略する。
【００５０】
次に、このユニット建物１ａの施工方法及び作用について説明する。
実施例１と同様にして、建物ユニット２ａ−１、２ａ−３、２ａ−６を製造する。
又、屋根パネル３ａやバルコニーユニット４ａを製造する。
このようにして製造した建物ユニット２ａ、屋根パネル３ａ、バルコニーユニット４ａを施工現場に運搬する。
【００５１】
施工現場では、図６と図７に示すように、予め、設けられている基礎９ａの上に、長辺を対向させ、短辺を略一直線上にして４個の建物ユニット２ａ−１を据え付けて、本体側建物ユニットＭａを設け、この本体側建物ユニットＭａの中の第一建物ユニット２ａ−１−１と第二建物ユニット２ａ−１−２の略一直線上になされた短辺に、長辺を対向させて１個の建物ユニット２ａ−６を据え付けて、添付建物ユニットＳａを設けて１階を形成し、この建物ユニット２ａ−１の上に３個の建物ユニット２ａ−１と、１個の建物ユニット２ａ−３と、バルコニーユニット４ａを据え付け、建物ユニット２ａ−６の上に建物ユニット２ａ−６を据え付けて２階を形成し、この２階の建物ユニット２ａ−１、２ａ−６の上に屋根パネル３ａを取り付けたり、建物ユニット２ａを連結したり、その他種々な仕上げを行うとユニット建物１ａが完成する。
【００５２】
尚、１階の建物ユニット２ａ−６の短辺を第三建物ユニット２ａ−３の長辺に対向させて据え付ける場合には、図８に示すように、玄関６ａ−１が直階段５ａ近傍になり、且つ、直階段５ａの昇降口が第三建物ユニット２ａ−３近傍になるよう据え付ける。
【００５３】
このようにして完成したユニット建物１ａでは、本体側建物ユニットＭａには、短辺を略同一線上にして順に並べられた第一建物ユニット２ａ−１−１、第二建物ユニット２ａ−１−２及び第三建物ユニット２ａ−１−３が存在し、第一建物ユニット２ａ−１−１と第二の建物ユニット２ａ−１−２の略同一線状になされた短辺に、添付建物ユニットＳａが長辺を対向させて据え付けられ、この１階の添付建物ユニットＳａには、昇降方向がこの添付建物ユニットＳａの長辺に対して略平行な直階段５ａが設けられている。
【００５４】
従って、工場で、昇降方向が長辺と略平行な直階段５ａを設けた１階の建物ユニット２ａ−６を製造し、施工現場で、本体側建物ユニットＭａの第一建物ユニット２ａ−１−１と第二建物ユニット２ａ−１−２の略同一線上になっている短辺に長辺を対向させて、上記直階段５ａが設けられた建物ユニット２ａ−６を据え付け、これを添付建物ユニットＳａにすると、実施例１と同様に、昇降方向が本体側建物ユニットＭａの短辺に略平行な直階段５ａが設けられたユニット建物１ａとなる。
このようにすると、昇降方向が本体側建物ユニットＭａの短辺に略平行な直階段を有するユニット建物１ａを施工し易いし、かかる要望のある顧客を満足させることができる。
【００５５】
又、このユニット建物１ａでは、第三建物ユニット２ａ−１−３に略同一線上になされた短辺近傍に玄関６ａ−１が設けられ、第三建物ユニット２ａ−１−３近傍に昇降口を有する直階段５ａが設けられているので、直階段５ａの昇降口は、この玄関６ａ−１の直ぐ隣にあり、玄関６ａ−１から直階段５ａを昇って２階に行ったり、２階から直階段５ａを降りて玄関６ａ−１に行く場合に、歩く距離が短くなって便利である。しかも、この直階段５ａが玄関６ａ−１から見難い位置にあるので、玄関６ａ−１に入った人が直階段５ａに気づかず、悪い印象を与えず、居住性のよい建物である。
【００５６】
（実施例３）
図１０〜図１３は本発明の別の実施例を示すもので、図１０はユニット建物の斜視図、図１１は図１０に示すユニット建物における建物ユニットの配置を示す平面図、図１２は図１０に示すユニット建物の１階の間取りを示す平面図、図１３は図１０に示すユニット建物の２階の間取りを示す平面図である。
【００５７】
図１０〜図１３において、１ｂはユニット建物であり、このユニット建物１ｂは、図１０と図１１に示すように、基礎９ｂの上に、３個の幅が略２．５ｍ、長さが略５．４ｍの建物ユニット２ｂ−１と、１個の幅が略１．２５ｍ、長さが略５．４ｍの建物ユニット２ｂ−３が長辺を対向させて据え付けられ、１個の幅が略２．５ｍ、長さが略５ｍの建物ユニット２ｂ−７が上記建物ユニット２ｂ−１の長辺に短辺を対向させて据え付けられて１階が形成され、この建物ユニット２ｂ−１の上に３個の建物ユニット２ｂ−１が、又、建物ユニット２ｂ−３の上に建物ユニット２ｂ−３がそれぞれ据え付けられ、更に、建物ユニット２ｂ−１の側面に横方向に突出した第一バルコニーユニット４ｂ−１と、建物ユニット２ｂ−７の上に第二バルコニーユニット４ｂ−２が取り付けられて２階が形成され、２階の建物ユニット２ｂ−１、２ｂ−３の上に屋根パネル３ｂが取り付けられたものである。
【００５８】
この建物ユニット２ｂ−１、２ｂ−３、２ｂ−７は寸法が異なるだけであって、構造は実施例１に示した建物ユニットと略同じであるので説明を省略する。
そして、このユニット建物１ｂを実施例１に記載されている建物ユニットと比較すると、１階の長辺が略平行になっている建物ユニット２ｂ−１、２ｂ−３と２階の建物ユニット２ｂ−１、２ｂ−３を本体側建物ユニットＭｂと称すること、この本体側建物Ｍｂの長辺に長辺が略直角になっている建物ユニット２ｂ−７を添付建物ユニットＳｂと称すること、短辺が建物ユニット２ｂ−１の長辺に対向する２個の建物ユニット２ｂ−１、２ｂ−１を第一建物ユニット２ｂ−１−１、第二建物ユニット２ｂ−１−２と称することは実施例１と略同じである。
【００５９】
この建物ユニット２ｂには、工場で、予め必要な歓談、間仕切り壁、サニタリー用設備や厨房設備等の設備、取付家具等（例えば、１階の建物ユニット２ｂ−７には、便所設備７ｂ−１、洗面台７ｂ−２、浴室設備７ｂ−３等のサニタリー用設備７ｂ）が取り付けられている。
そして、この建物ユニット２ｂを上記のように据え付けると、図１２と図１３に示すような間取りのユニット建物１ｂになる。
【００６０】
即ち、ユニット建物の１階には、図１２に示すように、Ｕ字形の階段５ｂ、玄関６ｂ−１、廊下６ｂ−２、リビング兼ダイニンク６ｂ−３、キッチン６ｂ−４、勝手口６ｂ−５、便所設備７ｂ−１や洗面台７ｂ−２やバスタブ７ｂ−３等のサニタリー用設備７ｂが取り付けられたサニタリー室７ｂ−９が設けられ、２階には、図１３に示すように、廊下６ｂ−２、便所６ｂ−６、寝室６ｂ−７、２個の子供部屋６ｂ−８、第一バルコニーユニット４ｂ−１、第二バルコニーユニット４ｂ−２が設けられている。
屋根パネル３ｂの構造は従来と略同じであるので、説明を省略する。
【００６１】
次に、このユニット建物１ｂの施工方法及び作用について説明する。
実施例１と同様にして、建物ユニット２ｂ−１、２ｂ−３、２ｂ−７を製造する。
又、屋根パネル３ｂやバルコニーユニット４ｂ−１、４ｂ−２を製造する。
このようにして製造した建物ユニット２ｂ、屋根パネル３ｂ、バルコニーユニット４ｂ−１、４ｂ−２を施工現場に運搬する。
【００６２】
施工現場では、図１０と図１１に示すように、予め、設けられている基礎９ｂの上に、３個の建物ユニット２ｂ−１と、１個の建物ユニット２ｂ−３を据え付けて、本体側建物ユニットＭｂを設け、１個の建物ユニット２ｂ−７を据え付けて、添付建物ユニットＳｃを設けて１階を形成し、この建物ユニット２ｂ−１の上に建物ユニット２ｂ−１を、又、建物ユニット２ｂ−３の上に建物ユニット２ｂ−３を、又、建物ユニット２ｂ−７の上に第二バルコニーユニット４ｂ−２をそれぞれ据え付け、建物ユニット２ｂ−１の側面に第一バルコニーユニット４ｂ−１を取り付けて２階を形成し、２階の建物ユニット２ｂ−１、２ｂ−３の上に屋根パネル３ｂを取り付けたり、建物ユニット２ｂを連結したり、その他種々な仕上げを行うとユニット建物１ｂが完成する。
【００６３】
このようにして完成したユニット建物１ｂでは、１個の建物ユニット２ｂ−７の内部には、便所設備７ｂ−１や洗面台７ｂ−２や浴室設備７ｂ−３等のサニタリー用設備７ｂが並べられて設けられていて、サニタリー用設備７ｂを取り付け易いし、配管し易くなるし、かかる要望の顧客を満足させることができる。
【００６４】
（実施例４）
図１４〜図１７は本発明の更に別の実施例を示すもので、図１４はユニット建物の斜視図、図１５は図１４に示すユニット建物における建物ユニットの配置を示す平面図、図１６は図１４に示すユニット建物の１階の間取りを示す平面図、図１７は図１４に示すユニット建物の２階の間取りを示す平面図である。
【００６５】
図１４〜図１７において、１ｃはユニット建物であり、このユニット建物１ｃには、図１４と図１５に示すように、基礎９ｃの上に、３個の幅が略２．５ｍ、長さが略５．４ｍの建物ユニット２ｃ−１と、１個の幅が略１．２５ｍ、長さが略５．４ｍの建物ユニット２ｃ−３が長辺を対向させて据え付けられ、更に、２個の幅が２．５ｍ、長さが４．５ｍの建物ユニット２ｃ−２が、短辺を前記建物ユニット２ｃ−１の短辺に対向させて据え付けられ、更に、１個の幅が略１．２５ｍ、長さが４．５ｍの建物ユニット２ｃ−５が、長辺を前記建物ユニット２ｃ−２の長辺に対向させて据え付けられ、建物ユニット２ｃ−２の長辺に短辺を対向させて、２個の幅が２．２５ｍ、長さが３．７５ｍｍの建物ユニット２ｃ−８が据え付けられて１階が形成されている。
【００６６】
そして、この１階の３個の建物ユニット２ｃ−１の上に３個の建物ユニット２ｃ−１、建物ユニット２ｃ−３の上に建物ユニット２ｃ−３、２個の建物ユニット２ｃ−８の上に２個の建物ユニット２ｃ−８がそれぞれ据え付けられ、２個の内の１個の建物ユニット２ｃ−２の上に１個の建物ユニット２ｃ−２、別の１個の建物ユニット２ｃ−２の上と１個の建物ユニット２ｃ−５の上に第一バルコニーユニット４ｃ−１がそれぞれ据え付けられ、建物ユニット２ｃ−８の側面に第二バルコニーユニット４ｃ−２が取り付けられて２階が形成され、この建物ユニット２ｃ−１、２ｃ−３、２ｃ−２、２ｃ−８の上に屋根ユニット３ｃが取り付けられたものである。
【００６７】
この建物ユニット２ｃ−１、２ｃ−３、２ｃ−２、２ｃ−８は寸法が異なるだけであって、構造は実施例１に示した建物ユニットと略同じであるので説明を省略する。
【００６８】
このユニット建物１を実施例１と比較すると、建物ユニット２ｃ−１、２ｃ−３、２ｃ−２、２ｃ−５は全て長辺がほぼ平行になっていて本体側建物ユニットＭｃと称し、建物ユニット２ｃ−８の長辺は本体側建物ユニットＭｃの長辺に対して略直角方向に向いていて、添付建物ユニットＳｃと称すること、この添付建物ユニットＳｃの長辺に対向している本体側建物ユニットＭｃの建物ユニット２ｃ−１や建物ユニット２ｃ−３はそれぞれ第一建物ユニット２ｃ−１−１や第二建物ユニット２ｃ−３−２と称することは実施例１と同じであるが、添付建物ユニットＳｃが２個であることが異なる。
【００６９】
又、この２個の建物ユニット２ｃ−８を区別するときには、長辺が建物ユニット２ｃ−１と２ｃ−３の短辺に対向している建物ユニット２ｃ−８を添付第一建物ユニットＳｃ−１と称し、別の建物ユニット２ｃ−８を添付第二建物ユニットＳｃ−２と称する。
【００７０】
そして、この添付第一建物ユニットＳｃ−１の他方の長辺と、この長辺に対向している添付第二建物ユニットＳｃ−２の長辺には壁と基礎がなく、添付第一建物ユニットＳｃ−１から添付第二建物ユニットＳｃ−２まで連続した空間に車庫空間Ｐｃが設けられている。又、第二建物ユニットＳｃ−２の他の長辺に、車の出入口Ｒｃが設けられている。
【００７１】
この建物ユニット２ｃには、工場で、予め必要な階段、間仕切り壁、サニタリー設備や厨房設備等の設備、取付家具等が取り付けられている。
そして、この実施例４では、建物ユニット２ｃを上記のように据え付けると、図１２と図１３に示すような間取りのユニット建物１ｃとなる。
【００７２】
即ち、このユニット建物１ｃの１階には、図１６に示すように、Ｕ字階段５ｃ、玄関６ｃ−１、廊下６ｃ−２、リビング兼ダイニンク６ｃ−３、キッチン６ｃ−４、勝手口６ｃ−５、便所設備７ｃ−１や洗面台７ｃ−２やバスタブ７ｃ−３等のサニタリー設備７ｃが取り付けられたサニタリー室７ｃ−９、和室８ｃが設けられ、又、２階には、図１７に示すように、廊下６ｃ−２、便所６ｃ−６、寝室６ｃ−７、３個の子供部屋６ｃ−８、第一バルコニーユニット４ｃ−１、第二バルコニーユニット４ｃ−２が設けられている。
その他の構造は実施例１と略同じであるので説明を省略する。
又、屋根パネル３ｃも従来と略同じであるので、説明を省略する。
【００７３】
次に、このユニット建物１ｃの施工方法及び作用について説明する。
実施例１と同様にして、建物ユニット２ｃ−１、２ｃ−３、２ｃ−２、２ｃ−５、２ｃ−８を製造する。
又、屋根パネル３ｃやバルコニーユニット４ｃ−１、４ｃ−２を製造する。
このようにして製造した建物ユニット２ｃや屋根パネル３ｃやバルコニーユニット４ｃを施工現場に運搬する。
【００７４】
施工現場では、図１４と図１５に示すように、予め、設けられている基礎９ｃの上に、建物ユニット２ｃ−１の３個と、建物ユニット２ｃ−３の１個を長辺を対向させて据え付け、更に、建物ユニット２ｃ−２の２個を、短辺を前記建物ユニット２ｃ−１の短辺に対向させて据え付け、更に、建物ユニット２ｃ−５を、長辺を前記建物ユニット２ｃ−２の長辺に対向させて据え付けて、本体側建物ユニットＭｃを設け、建物ユニット２ｃ−２の長辺に短辺を対向させて、建物ユニット２ｃ−８の２個を据え付けて、添付建物ユニットＳｃを設けて１階を形成する。
【００７５】
又、この１階の３個の建物ユニット２ｃ−１の上に３個の建物ユニット２ｃ−１、建物ユニット２ｃ−３の上に建物ユニット２ｃ−３、２個の建物ユニット２ｃ−８の上に２個の建物ユニット２ｃ−８をそれぞれ据え付け、２個の内の１個の建物ユニット２ｃ−２の上に建物ユニット２ｃ−２の１個、２個の内の別の１個の建物ユニット２ｃ−２の上と１個の建物ユニット２ｃ−５の上に第一バルコニーユニット４ｃ−１をそれぞれ据え付け、又、建物ユニット２ｃ−８の側面に第二バルコニーユニット４ｃ−２を取り付けて２階を設け、この建物ユニット２ｃ−１、２ｃ−３、２ｃ−２、２ｃ−８の上に屋根ユニット３ｃを取り付け、その他種々な仕上げを行うとユニット建物１ｃが完成する。
【００７６】
このようにして完成したユニット建物１ｃでは、添付第一建物ユニットＳｃ−１と添付第二建物ユニットＳｃ−２の内部が連続した車庫空間Ｐｃになされているので、この車庫空間Ｐｃを車の駐車し易い大きさの車庫とすることができる。
【００７７】
又、車の出入口Ｒｃが添付第二建物ユニットＳｃ−２の長辺に設けられているので、この長辺に大きな車の出入口Ｒｃを設けることができるし、このように、長辺に大きな出入口Ｒｃを設けると、この出入口Ｒｃから車庫空間Ｐｃに車を出入させ易い。
そして、この車の出入口Ｒｃは、本体側建物ユニットＭｃ短辺方向に開口しているので、この本体側建物ユニットＭｃの短辺方向から車を出入させる間取りに好適であり、かかる顧客の要望を満足させることができる。
【００７８】
（実施例５）
図１８〜図２１は本発明の更に別の実施例を示すもので、図１８はユニット建物の斜視図、図１９は図１８に示すユニット建物における建物ユニットの配置を示す平面図、図２０は図１８に示すユニット建物の１階の間取りを示す平面図、図２１は図１８に示すユニット建物の２階の間取りを示す平面図である。
【００７９】
図１８〜図２１において、１ｄはユニット建物であり、このユニット建物１ｄは、図１８と図１９に示すように、基礎９ｄの上に、２個の幅が略２．５ｍ、長さが略５．４ｍの建物ユニット２ｄ−１が長辺を対向させて据え付けられ、２個の幅が２．５ｍ、長さが４．５ｍの建物ユニット２ｄ−２が、短辺を前記建物ユニット２ｃ−１の短辺に対向させて据え付けられ、更に、２個の幅が略２．２５ｍ、長さが略４．５ｍの建物ユニット２ｄ−４が、短辺を前記建物ユニット２ｄ−２の長辺に対向させて据え付けられ、更に、この建物ユニット２ｄ−４の長辺に長辺を対向させて同じ建物ユニット２ｄ−４が据え付けられて１階が形成されている。
【００８０】
又、この建物ユニット２ｄ−４と前記建物ユニット２ｄ−１とで囲まれた広い広場に庭Ｇｄが設けられている。
そして、この建物ユニット２ｄ−１の庭Ｇｄに面した壁には幅が略２．７ｍの開口である窓９５ｄ−１が設けられ、建物ユニット２ｄ−４の庭Ｇｄに面した壁には、同じく幅が略２．７ｍの開口である窓９５ｄ−２が設けられている。
【００８１】
又、１階の２個の建物ユニット２ｄ−１の庭Ｇｄから見て遠い方の建物ユニット２ｄ−１の上に１個の建物ユニット２ｄ−１、近い方の建物ユニット２ｄ−１の上に略１．２５ｍ、長さが略５．４ｍの建物ユニット２ｄ−３とバルコニーユニット４ｄ−１が据え付けられ、１階の２個の建物ユニット２ｄ−２の上に２個の建物ユニット２ｄ−２、１階の２個の建物ユニット２ｄ−４の上の庭Ｇｄから見て遠い方の建物ユニット２ｄ−４の上に同じ建物ユニット２ｄ−４、近い方の建物ユニット２ｄ−４の上に１個の幅が略１．１２５ｍ、長さが略４．５ｍの建物ユニット２ｄ−９とバルコニーユニット４ｄ−２が据え付けられて２階が形成されている。
【００８２】
そして、この建物ユニット２ｄ−３の庭Ｇｄに面した壁には幅が略２．７ｍの開口である窓９５ｄ−３と、幅が略０．９ｍの窓９５ｄ−５が設けられ、建物ユニット２ｄ−９の庭Ｇｄに面した壁には、幅が略２．７ｍの開口である窓９５ｄ−４が設けられている。
【００８３】
この２階の建物ユニット２ｄ−１、２ｄ−３、２ｄ−２、２ｄ−４、２ｄ−９の上や、２階のない１階の建物ユニット２ｄ−４の上に屋根ユニット３ｄが取り付けられたものである。
この建物ユニット２ｄ−１、２ｄ−３、２ｄ−２、２ｄ−４、２ｄ−９は寸法が異なるだけであって、構造は実施例１に示した建物ユニットと略同じであるので説明を省略する。
【００８４】
そして、このユニット建物１を実施例１と比較すると、建物ユニット２ｄ−１、２ｄ−３、２ｄ−２は全て長辺がほぼ平行になっていて本体側建物ユニットＭｄと称し、建物ユニット２ｄ−４と建物ユニット２ｄ−９の長辺は本体側建物ユニットＭｄの長辺に対して略直角方向に向いていて、添付建物ユニットＳｄと称することは実施例１と同じであるが、庭Ｇｄが設けられていることが異なる。
【００８５】
この建物ユニット２ｃには、工場で、予め必要な階段、間仕切り壁、サニタリー設備や厨房設備等の設備、取付家具等が取り付けられている。
そして、この建物ユニット２ｄを上記のように据え付けると、図２０と図２１に示すような間取りが形成されたユニット建物１ｄとなる。
【００８６】
即ち、このユニット建物１ｄでは、１階に、図２０に示すように、Ｕ字階段５ｄ、玄関６ｄ−１、廊下６ｄ−２、リビング兼ダイニンク６ｄ−３、キッチン６ｄ−４、勝手口６ｄ−５、便所設備７ｄ−１や洗面台７ｄ−２やバスタブ７ｄ−３等のサニタリー用設備７ｄが取り付けられたサニタリー室７ｄ−９、和室８ｄ、居間８ｄ−１が設けられ、又、２階に、図２１に示すように、廊下６ｄ−２、便所６ｄ−６、寝室６ｄ−７、２個の子供部屋６ｄ−８、書斎８ｄ−２、第一バルコニーユニット４ｄ−１、第二バルコニーユニット４ｄ−２が設けられている。
その他の構造は実施例１と略同じであるので説明を省略する。
又、屋根パネル３ｄも従来と略同じであるので、説明を省略する。
【００８７】
次に、このユニット建物１ｄの施工方法及び作用について説明する。
実施例１と同様にして、建物ユニット２ｄ−１、２ｄ−３、２ｄ−２、２ｄ−９を製造する。
又、屋根パネル３ｄやバルコニーユニット４ｄ−１、４ｄ−２を製造する。
このようにして製造した建物ユニット２ｄや屋根パネル３ｄやバルコニーユニット４ｄを施工現場に運搬する。
【００８８】
施工現場では、図１８と図１９に示すように、予め、設けられている基礎９ｄの上に、２個の建物ユニット２ｄ−１と２個の建物ユニット２ｄ−２を長辺を対向させて据え付け、更に、２個の建物ユニット２ｄ−２を、短辺を前記建物ユニット２ｃ−１の短辺に対向させて、据え付け、更に、２個の建物ユニット２ｄ−４を、短辺を前記建物ユニット２ｄ−２の長辺に対向させて、据え付け、更に、この建物ユニット２ｄ−４の長辺に長辺を対向させて同じ建物ユニット２ｄ−４を据え付けて１階を形成する。
又、この建物ユニット２ｄ−４と前記建物ユニット２ｄ−１とで囲まれた広場に庭Ｇｄを設ける。
【００８９】
又、１階の２個の建物ユニット２ｄ−１の庭Ｇｄから見て遠い方の建物ユニット２ｄ−１の上に１個の建物ユニット２ｄ−１、近い方の建物ユニット２ｄ−１の上に１個の建物ユニット２ｄ−３とバルコニーユニット４ｄ−１を据え付け、１階の２個の建物ユニット２ｄ−２の上に２個の建物ユニット２ｄ−２、１階の２個の建物ユニット２ｄ−４の庭Ｇｄから見て遠い方の建物ユニット２ｄ−４の上に同じ建物ユニット２ｄ−４、近い方の建物ユニット２ｄ−４の上に建物ユニット２ｄ−９とバルコニーユニット４ｄ−２を据え付けて２階を形成する。
【００９０】
又、この２階の建物ユニットが据え付けられてない１階の建物ユニット２ｄ−４の上と、２階の建物ユニット２ｄ−１、２ｄ−３、２ｄ−２、２ｄ−４の上とに屋根ユニット３ｄを取り付け、その他種々な仕上げを行うとユニット建物１ｄが完成する。
【００９１】
このようにして完成したユニット建物１ｄでは、建物ユニット２ｄ−４と前記建物ユニット２ｄ−１とで囲まれた広い広場に庭Ｇｄが設けられている。
そして、１階の建物ユニット２ｄ−１の庭Ｇｄに面した壁には、窓９５ｄ−１が設けられ、建物ユニット２ｄ−４の庭Ｇｄに面した壁には、窓９５ｄ−２が設けられているので、１階の和室８ｄや居間８ｄ−１からこの窓９５ｄ−１、９５ｄ−２を通して庭Ｇｄを見ることができるし、この窓９５ｄ−１や９５ｄ−２は幅が２．７ｍと大きいので和室８ｄや居間８ｄ−１からこの広い窓９５ｄ−１、９５ｄ−２を通して庭Ｇｄを十分に鑑賞することができる。
【００９２】
又、２階の建物ユニット２ｄ−３の庭Ｇｄに面した壁には、幅が略２．７ｍの開口である窓９５ｄ−３と幅が略０．９ｍの窓９５ｄ−５が設けられ、建物ユニット２ｄ−９の庭Ｇｄに面した壁には、幅が略２．７ｍの開口である窓９５ｄ−４が設けられているので、寝室６ｄ−７から窓９５ｄ−４を通して庭Ｇｄを見ることができるし、一方の子供部屋６ｄ−８から窓９５ｄ−３を通して、又、書斎８ｄ−２から９５ｄ−５を通して庭Ｇｄを見ることができる。
又、この窓９５ｄ−３、９５ｄ−４は２．７ｍと大きいので、一方の子供部屋６ｄ−８や寝室６ｄ−７から窓９５ｄ−３や９５ｄ−４を通して庭Ｇｄを十分に鑑賞することができる。
【００９３】
又、この窓９５ｄ−３、９５ｄ−４、９５ｄ−５から出て、バルコニーユニット４ｄ−１、４ｄ−２からも庭Ｇｄを鑑賞できるようになっている。
このように、広い窓９５ｄ−１、９５ｄ−２、９５ｄ−３、９５ｄ−４を通して庭Ｇを十分に鑑賞したり、バルコニーユニット４ｄ−１、４ｄ−２から庭Ｇを鑑賞することができるので、極めて快適な生活をすることができる。
従って、かかる要望のある顧客を満足させることができる。
【００９４】
以上、実施例１〜実施例５に示すように、添付建物ユニットを据え付けることにより、種々な機能を増加させることができ、間取りの自由度を増加させることができる。
【００９５】
【発明の効果】
以上詳細に説明したように、請求項１記載の発明は、本体側建物ユニットには、短辺を略同一線上にして並べられた第一建物ユニット及び第二建物ユニットが存在し、添付建物ユニットは、第一建物ユニットと第二の建物ユニットの略同一線状になされた短辺に長辺を対向させて据え付けられ、この添付建物ユニットには、昇降方向がこの添付建物ユニットの長辺に対して略平行な直階段が設けられているから、工場で、１個の建物ユニットの中に直階段を設けた添付建物ユニットを製造し、この添付建物ユニットを上記構造になるように据え付けると、昇降方向が本体側建物ユニットの短辺に対して略平行な直階段を設けることができる。従って、昇降方向が本体側建物ユニットの短辺に対して略平行な直階段を有するユニット建物を施工し易いし、かかる要望のある顧客を満足させることができる。
【００９７】
又、この請求項１記載の発明は、前記第三建物ユニットには、略同一線上になされた短辺又は短辺近傍の長辺に玄関が設けられ、直階段は、第三建物ユニット近傍に昇降口を有するので、玄関の直ぐ隣に直階段の昇降口があり、便利であるし、この直階段が玄関から見難い位置になるから、玄関に入った人が階段に気づかず悪い印象を与えない。
【００９９】
請求項２記載の発明は、本体側建物ユニットには、短辺を略同一線上にして並べられた第一建物ユニット及び第二建物ユニットが存在し、添付建物ユニットは、添付第一建物ユニットと添付第二建物ユニットとからなり、第一建物ユニットと第二建物ユニットの略同一線上になされた短辺に、添付第一建物ユニットが一方の長辺を対向させて据え付けられ、この添付第一建物ユニットの他方の長辺に添付第二建物ユニットが一方の長辺を対向させて据え付けられ、この添付第二建物ユニットの他方の長辺に車の出入口が設けられ、この添付第一建物ユニットと添付第二建物ユニットの内部が連続した車庫空間になされているから、添付第二建物ユニットの長辺に設けられた車の出入口を大きくすることができるし、添付第一建物ユニットと添付第二建物ユニットの内部に十分に広い車庫空間を確保できる。従って、車庫に車を出入させ易いし、車を駐車させ易い。
しかも、この車の出入口は、本体側建物ユニット（第一建物ユニットや第二建物ユニット）の短辺方向に開口している。従って、この本体側建物ユニットの短辺方向から車を出入させる間取りを希望する顧客を満足させることができる。
【０１００】
請求項３記載の発明は、本体側建物ユニットの長辺とこの長辺に略直角な添付建物ユニットの長辺には、それぞれ外壁が設けられて、この本体側建物ユニットの外壁と添付建物ユニットの外壁とで入隅が形成され、この入隅を形成する本体側建物ユニットの外壁と添付建物ユニットの外壁には、それぞれ、短辺より幅の大きな開口が設けられているから、入隅を形成している本体側建物ユニットと添付建物ユニットとで囲まれた広場に庭等を設けたときに、本体側建物ユニットの内部から長辺に設けられている開口や、添付建物ユニットの内部から長辺に設けられている開口を通して、庭等を見ることができるし、本体側建物ユニットと添付建物ユニットの内部からこの大きな窓を通して庭等を十分鑑賞することができる。
【０１０１】
請求項４記載の発明では、請求項３記載の発明に係り、前記本体側建物ユニットと添付建物ユニットが上階に設けられ、前記入隅を形成する本体側建物ユニットの外壁の前方と添付建物ユニットの外壁の前方には、それぞれバルコニーが設けられ、前記開口からバルコニーに出入可能になされているから、庭等を、本体側建物ユニットや添付建物ユニットの内部から本体側建物ユニットの長辺に設けられている大きな開口を通して十分に鑑賞できる。更に、上階の本体側建物ユニットの開口や添付建物ユニットの開口からバルコニーに出て、このバルコニーから庭等を鑑賞することができる。
【図面の簡単な説明】
【図１】本発明の一実施例を示すもので、ユニット建物の斜視図である。
【図２】図１に示すユニット建物の建物ユニットの配置を示す平面図である。
【図３】図１に示すユニット建物の１階の間取りを示す平面図である。
【図４】図１に示すユニット建物の２階の間取りを示す平面図である。
【図５】建物ユニットの骨格を示す斜視図である。
【図６】本発明の他の実施例を示すもので、ユニット建物の斜視図である。
【図７】図６に示すユニット建物の建物ユニットの配置を示す平面図である。
【図８】図６に示すユニット建物の１階の間取りを示す平面図である。
【図９】図６に示すユニット建物の２階の間取りを示す平面図である。
【図１０】本発明の別の実施例を示すもので、ユニット建物の斜視図である。
【図１１】図１０に示すユニット建物の建物ユニットの配置を示す平面図である。
【図１２】図１０に示すユニット建物の１階の間取りを示す平面図である。
【図１３】図１０に示すユニット建物の２階の間取りを示す平面図である。
【図１４】本発明の更に別の実施例を示すもので、ユニット建物の斜視図である。
【図１５】図１４に示すユニット建物の建物ユニットの配置を示す平面図である。
【図１６】図１４に示すユニット建物の１階の間取りを示す平面図である。
【図１７】図１４に示すユニット建物の２階の間取りを示す平面図である。
【図１８】本発明の更に別の実施例を示すもので、ユニット建物の斜視図である。
【図１９】図１８に示すユニット建物の建物ユニットの配置を示す平面図である。
【図２０】図１８に示すユニット建物の１階の間取りを示す平面図である。
【図２１】図１８に示すユニット建物の２階の間取りを示す平面図である。
【符号の説明】
１、１ａ、１ｂ、１ｃ、１ｄ    ユニット建物
２、２ａ、２ｂ、２ｃ、２ｄ    建物ユニット
２−１−１、２ａ−１−１      第一建物ユニット
２−１−２、２ａ−１−１      第二建物ユニット
２ａ−１−３                  第三建物ユニット
２ｂ−１−１、２ｃ−１−１    第一建物ユニット
２ｂ−１−２、２ｃ−３−２    第二建物ユニット
４、４ａ、４ｂ、４ｃ、４ｄ    バルコニー
５、５ａ                      直階段
７ａ−１                      玄関
７ｂ                          サニタリー用設備
９５ｄ                        開口（窓）
Ｍ、Ｍａ、Ｍｂ、Ｍｃ、Ｍｄ    本体側建物ユニット
Ｓ、Ｓａ、Ｓｂ、Ｓｃ、Ｓｄ    添付建物ユニット
Ｐｃ                          車庫空間
Ｒｃ                          車の出入口
Ｇｄ                          庭
【図１】
0003848558.tif 000002
【図２】
0003848558.tif 000003
【図３】
0003848558.tif 000004
【図４】
0003848558.tif 000005
【図５】
0003848558.tif 000006
【図６】
0003848558.tif 000007
【図７】
0003848558.tif 000008
【図８】
0003848558.tif 000009
【図９】
0003848558.tif 000010
【図１０】
0003848558.tif 000011
【図１１】
0003848558.tif 000012
【図１２】
0003848558.tif 000013
【図１３】
0003848558.tif 000014
【図１４】
0003848558.tif 000015
【図１５】
0003848558.tif 000016
【図１６】
0003848558.tif 000017
【図１７】
0003848558.tif 000018
【図１８】
0003848558.tif 000019
【図１９】
0003848558.tif 000020
【図２０】
0003848558.tif 000021
【図２１】
0003848558.tif 000022